(57)【要約】【課題】  屋外に設置したコンピュータ等を雨天、降雪時にも濡らすことなく安全に保守点検することのできる点検用テントユニットを提供すること。【解決手段】  屋根状本体１１と、前記屋根状本体に対して突出、後退自在に収納された引き出し部材１２と、前記引き出し部材の３辺から垂下自在に配置されたシート部材１３と、前記シート部材のそれぞれの隣接した端部を連結する連結部材１４とを備え、前記引き出し部材を屋根状本体から突出させた際に、各辺から垂下させたシート部材をそれぞれの隣接する辺で縦方向に連結可能としたので、屋外に設置したコンピュータ等を雨天、降雪時にも濡らすことなく安全に保守点検することができる。【選択図】  図１
2005290862.tif 000002
【特許請求の範囲】
【請求項１】
屋根状本体と、
前記屋根状本体に対して突出、後退自在に収納された引き出し部材と、
前記引き出し部材の３辺から垂下自在に配置されたシート部材と、
前記シート部材のそれぞれの隣接した端部を連結する連結部材とを備え、
前記引き出し部材を屋根状本体から突出させた際に、各辺から垂下させたシート部材をそれぞれの隣接する辺で縦方向に連結可能としたことを特徴とする点検用テントユニット。
【請求項２】
前記引き出し部材は、前記屋根状本体の前後方向の２箇所に配設されたことを特徴とする請求項１に記載の点検用テントユニット。
【請求項３】
前記引き出し部材は、前後方向で高さ位置を違えて配設したことを特徴とする請求項２に記載の点検用テントユニット。
【請求項４】
前記引き出し部材は、半透明状の採光部を備えたことを特徴とする請求項１〜３の何れか１に記載の点検用テントユニット。
【請求項５】
前記シート部材は、半透明部材から構成されたことを特徴とする請求項１〜４の何れか１に記載の点検用テントユニット。
【請求項６】
前記屋根状本体は、妻部にギャラリ状の通気口を備えたことを特徴とする請求項１〜５の何れか１に記載のコンピュータ収納パネル。
【請求項７】
屋根状部を有したパネル本体と、
前記屋根状部に対して突出、後退自在に収納された引き出し部材と、
前記引き出し部材の３辺から垂下自在に配置されたシート部材と、
前記シート部材のそれぞれの隣接した端部を連結する連結部材とを備え、
前記引き出し部材を屋根状本体から突出させた際に、各辺から垂下させたシート部材をそれぞれの隣接する辺で縦方向に連結可能としたことを特徴とするコンピュータ収納パネル。
【請求項８】
前記引き出し部材は、前記パネル本体の前後方向の２箇所に配設されたことを特徴とする請求項７に記載のコンピュータ収納パネル。
【請求項９】
前記引き出し部材は、前後方向で高さ位置を違えて配設したことを特徴とする請求項８に記載のコンピュータ収納パネル。
【請求項１０】
前記引き出し部材は、半透明状の採光部を備えたことを特徴とする請求項７〜９の何れか１に記載のコンピュータ収納パネル。
【請求項１１】
前記シート部材は、半透明部材から構成されたことを特徴とする請求項７〜１０の何れか１に記載のコンピュータ収納パネル。
【請求項１２】
前記屋根状部は、妻部にギャラリ状の通気口を備えたことを特徴とする請求項７〜１１の何れか１に記載のコンピュータ収納パネル。
【発明の詳細な説明】
【技術分野】
【０００１】
本発明は、点検用テントユニット及びコンピュータ収納パネルに関するものである。
【背景技術】
【０００２】
従来より屋外に設置された配電盤等を雨天、降雪時に点検する際に、水滴が内部に浸入するのを阻止するべく、種々の装置が提案されていた。例えば、図８に示すように屋外用閉鎖型配電盤１に雨天時に雨水が盤内に浸入するのを防止するために、保守点検用扉２の前面上部に防水シート掛け具３を取り付け、防水シート４を引っ掛けるものが存在した。
【０００３】
しかし、屋外用閉鎖型配電盤は、高さが高く防水シート４を取り付けるために脚立等を用意しなければならず、手数がかかり不都合であった。また、風が吹いたりした場合には、雨水の浸入を完全に阻止することが出来なかった。
【０００４】
更に、近年、ＡＤＳＬ等の普及に伴ってＩＴ機器を収納するための屋外設置用のコンピュータ収納パネルの要請が高まっている。このような屋外設置用のコンピュータ収納パネルにおいて、雨天、降雪時においても、メンテナンスのためにネットワーク機器に水滴等が付着することないコンピュータ収納パネルが必要とされている。
【０００５】
屋外用閉鎖配電盤の雨水浸入防止機構として、例えば特開平８‐３１７５１２号に記載するものが存在する。これは、ハンドルを操作することにより配電盤の天井下部に取り付けられた軒が配電盤の前面に張り出して雨水から電気機器を保護するものである。
また、特開２０００‐１３９００６号公報には、配電盤の前方に突出する庇を有する屋根を備えた配電盤が記載されている。
【特許文献１】特開平８‐３１７５１２号公報
【特許文献２】特開２０００‐１３９００６号公報
【発明の開示】
【発明が解決しようとする課題】
【０００６】
しかし、従来の特開平８‐３１７５１２号公報に開示された軒が張り出す程度の配電盤では、精密な電子機器を含まない配電盤には充分であるが、コンピュータ収納パネルには不十分である。また、特開２０００‐１３９００６号公報に開示された庇を有する屋根を備え配電盤では、精密な電子機器を含まない配電盤には充分であるが、ネットワーク装置を運用するＩＴ機器を収納するコンピュータ収納パネルには不十分であった。
【０００７】
この発明は、上記に鑑み提案されたもので精密な電子機器を含み、ネットワーク装置を運用するＩＴ機器を収納するコンピュータ収納パネルを雨天、降雪時でも安全に修理点検することのできる点検用テントユニットを提供することを目的とする。
【課題を解決するための手段】
【０００８】
上記目的を達成する為に、本発明の点検用テントユニットは、屋根状本体と、前記屋根状本体に対して突出、後退自在に収納された引き出し部材と、前記引き出し部材の３辺から垂下自在に配置されたシート部材と、前記シート部材のそれぞれの隣接した端部を連結する連結部材とを備え、前記引き出し部材を屋根状本体から突出させた際に、各辺から垂下させたシート部材をそれぞれの隣接する辺で縦方向に連結可能としたことを特徴としている。
【０００９】
また、前記引き出し部材は、前記屋根状本体の前後方向の２箇所に配設されたことを特徴とする。
また、前記引き出し部材は、前後方向で高さ位置を違えて配設したことを特徴とする。
また、前記引き出し部材は、半透明状の採光部を備えたことを特徴とする。
また、前記シート部材は、半透明部材から構成されたことを特徴とする。
また、前記屋根状本体は、妻部にギャラリ状の通気口を備えたことを特徴とする。
【００１０】
また、屋根状部を有したパネル本体と、前記屋根状部に対して突出、後退自在に収納された引き出し部材と、前記引き出し部材の３辺から垂下自在に配置されたシート部材と、前記シート部材のそれぞれの隣接した端部を連結する連結部材とを備え、前記引き出し部材を屋根状本体から突出させた際に、各辺から垂下させたシート部材をそれぞれの隣接する辺で縦方向に連結可能としたことを特徴とする。
【００１１】
また、前記引き出し部材は、前記パネル本体の前後方向の２箇所に配設されたことを特徴とする。
また、前記引き出し部材は、前後方向で高さ位置を違えて配設したことを特徴とする。
また、前記引き出し部材は、半透明状の採光部を備えたことを特徴とする。
また、前記シート部材は、半透明部材から構成されたことを特徴とする。
また、前記屋根状部は、妻部にギャラリ状の通気口を備えたことを特徴とする。
【発明の効果】
【００１２】
この発明は上記した構成からなるので、以下に説明するような効果を奏することができる。
【００１３】
本発明では、屋根状本体と、前記屋根状本体に対して突出、後退自在に収納された引き出し部材と、前記引き出し部材の３辺から垂下自在に配置されたシート部材と、前記シート部材のそれぞれの隣接した端部を連結する連結部材とを備え、前記引き出し部材を屋根状本体から突出させた際に、各辺から垂下させたシート部材をそれぞれの隣接する辺で縦方向に連結可能としたので、引き出し部材を引き出した後、シート部を垂下させ、それぞれの隣接した端部を連結部材で連結すれば、保守スペースをシート部材で囲み開扉時に雨水が内部に浸入することなく、安全に点検修理作業を行うことができる。
【００１４】
また、前記引き出し部材は、前記屋根状本体の前後方向の２箇所に配設されたので、コンピュータ収納パネルの背面側から作業する場合であっても、引き出し部材を引き出すことによって、雨水の浸入を防止することができる。
また、前記引き出し部材は、前後方向で高さ位置を違えて配設したので、収納時に引き出し部材を重ねて収納することにより、省スペース化を実現することができる。
また、前記引き出し部材は、半透明状の採光部を備えたので、引き出し部材で形成される保守スペースに必要な太陽光を取り入れて、明瞭な保守スペースを確保することができる。
【００１５】
また、シート部材は、半透明部材から構成されたので、周囲の太陽光を取り入れることができるとともに、周囲に保守内容を秘密にすることができる。
また、前記屋根状本体は、妻部にギャラリ状の通気口を備えたので、万一水滴が浸入しても、電気機器から発生する熱により乾燥することができる。また、妻部に設けることにより、ユニット全体の高さを低く抑えることができる。
また、屋根状部を有したパネル本体と、前記屋根状部に対して突出、後退自在に収納された引き出し部材と、前記引き出し部材の３辺から垂下自在に配置されたシート部材と、前記シート部材のそれぞれの隣接した端部を連結する連結部材とを備え、前記引き出し部材を屋根状本体から突出させた際に、各辺から垂下させたシート部材をそれぞれの隣接する辺で縦方向に連結可能としたので、コンピュータ収納パネル内に雨水が内部に浸入することなく、安全に点検修理作業を行うことができる。
また、前記引き出し部材は、前記パネル本体の前後方向の２箇所に配設されたので、コンピュータ収納パネルの背面側から作業する場合であっても、引き出し部材を引き出すことによって、雨水の浸入を防止することができる。
【００１６】
また、前記引き出し部材は、前後方向で高さ位置を違えて配設したので、収納時に引き出し部材を重ねて収納することにより、コンピュータ収納パネルの省スペース化を実現することができる。
また、前記引き出し部材は、半透明状の採光部を備えたので、引き出し部材で形成される保守スペースに必要な太陽光を取り入れて、明瞭な保守スペースを確保することができる。
また、前記シート部材は、半透明部材から構成されたので、周囲の太陽光を取り入れることができるとともに、周囲に保守内容を秘密にすることができる。  
また、前記屋根状部は、妻部にギャラリ状の通気口を備えたので、万一水滴が浸入しても、電気機器から発生する熱により乾燥することができる。また、妻部に設けることにより、コンピュータ収納パネルの高さを低く抑えることができる。
【発明を実施するための最良の形態】
【００１７】
コンピュータ収納パネルの開閉扉の上に引き出し部材を設け、引き出し部材に取り付けたシート部材と連結部材によって囲蔽空間を形成したので、雨水等の影響を受けることのない保守スペースを実現した。
【実施例】
【００１８】
以下、本発明の一実施例を説明する。図１は、本発明に係る点検用テントユニットの一例を示す斜視図、図２は本発明の点検用テントユニットの側面図、図３は本発明の点検用テントユニットの正面図である。ここで、点検用テントユニット１０は、屋根状本体１１と、前記屋根状本体１１に対して突出、後退自在に収納された引き出し部材１２と、前記引き出し部材１２の３辺から垂下自在に配置されたシート部材１３と、前記シート部材１３のそれぞれの隣接した端部を連結する連結部材１４とを備えている。
【００１９】
屋根状本体１１は、略中央に稜線１１ａを有するとともに前後方向に傾斜した屋根部１１ｂを有している。また側面の妻部には、ギャラリ状の通気口１５を備えており、雨水の浸入を防止するとともに通気性を確保している。引き出し部材１２は、左右両端に配置されたスライドレール１６、１７によって引き出し可能に取り付けられている。スライドレール１６、１７は、先端に向かって傾斜しており、引き出し部材１２を引き出した際に先端に向かって傾斜するように構成されている。更に、引き出し部材１２は、屋根状本体１１の前後方向の２箇所に配設されており、正面側に設けられた引き出し部材１２の高さ位置を低く配置している。したがって、後端側の引き出し部材１２を支持するスライドレール１８、１９と正面側に設けられた引き出し部材１２を支えるスライドレール１６、１７は、先端が上下に重なっており、点検用テントユニット１０の前後方向の寸法に比較してより大きな引き出し部材１２を収納することができる。スライドレール１８，１９も先端に向かって傾斜するように構成されている。
【００２０】
引き出し部材１２は、正面に操作部１２ａを有している。また、引き出し部材１２は、アクリル樹脂等の半透明状の採光部２０を天井部に備えており、太陽光を採光することができる。また、引き出し部材１２の前面、左右側の３辺には、シート部材１３が垂下自在に配置されている。シート部材１３は、半透明状の難燃性材料から構成されおり、下端に錘バー２１が取り付けられている。また、シート部材１３の適宜位置には、面ファスナー２２が配置されており、所定の幅に折り畳むことができる。更に、シート部材１３には、フック部材２３が設置されており、フック部材２３の先端を引き出し部材１２の下端に配置されたリブ２４に引っ掛けることにより、折り畳んだシート部材１３を引き出し部材１２の下面側にコンパクトに収納することができる。
【００２１】
また、シート部材１３のそれぞれの隣接した端部には、連結部材１４であるファスナーが配置されており、相互のシート部材１３を縦方向に連結することができる。相互のシート部材１３を連結することにより、図１に示すように周囲に作業内容が見えなくなるとともに、雨水の浸入を完全に阻止することができる。
【００２２】
以上のように構成した点検用テントユニット１０は、コンピュータ収納パネルの上に別置きで設置する。コンピュータ収納パネル内部を修理点検する際、操作部１２ａを操作して引き出し部材１２を引き出す。次に、引き出し部材１２の３辺からシート部材１３を垂下させる。シート部材１３の下端には、それぞれ錘バー２１が取り付けられているので、風等によって舞い上がることがない。垂れ下がったシート部材１３は、縦方向に連結部材１４であるファスナーで連結して、隙間なくコンピュータ収納パネルに周囲を囲蔽することができる。したがって、パネルの扉を開成した場合に雨水が浸入することがない。また、周囲の目隠しとなるので、内部コンピュータのセキュリテイ保持にも役立つ。
【００２３】
更に、引き出し部材１２の天井部に採光部２０が設置されるとともに、シート部材１３が半透明部材から構成されているので、周囲からの太陽光を取り入れることができる。したがって、明るい状況のもとでメンテナンス作業を行うことができる。使用頻度の高い正面側の引き出し部材１２を低く設置しているので、操作性を向上することができる。また、引き出し部材１２は、先方に向かって傾斜しているので、天井部に付着した水滴が流れ落ちるのを促進する。
【００２４】
また、図６に示すようにコンピュータ収納パネルの観音開きの扉２５をシート部材１３の内側から重ねれば、シート部材１３を更に補強することができる。つまり、開いた扉２５のさらに外側に左右両側のシート部材１３が配置されている。更に、スライドレールを採用したので、一人でも容易に引き出し部材１２を引き出して、保守作業スペースを確保することができる。
【００２５】
引き出し部材１２を収納する場合は、図２から図５に示すようにシート部材１３の所定位置に配設された着脱可能な面ファスナー２２を利用して折り畳んでゆく。本実施例では、三段に折り畳む場合について説明する。三段に折り畳んだシート部材１３は、フック部材２３の先端を引き出し部材１２の下端面に配設されたリブ２４に引っ掛けることにより、収納する。また、シート部材１３は、折り畳み式のためロール型オーニングのような回転部が存在しないので、寒冷地等でも故障が少なく、確実に操作することができる。シート部材１３を収納した引き出し部材１２は、スライドレールによって屋根状本体１１内に収納することができる。
【００２６】
また、屋根状本体１１は、妻部（側面）に通気口１５を有しているので、万一内部に水滴が浸入しても、コンピュータ収納パネル内の乾燥を促進することができる。また、内部のコンピュータの熱で乾燥し、水蒸気を逃すことができる。
【００２７】
図７は、本発明に係るコンピュータ収納パネルを示す斜視図である。ここで、コンピュータ収納パネル３０は、屋根状部３１を有したパネル本体３２と、前記屋根状部３１に対して突出、後退自在に収納された引き出し部材３３と、前記引き出し部材３３の３辺から垂下自在に配置されたシート部材３４と、前記シート部材３４のそれぞれの隣接した端部を連結する連結部材３５とを備えている。引き出し部材３３、シート部材３４、連結部材３５の構成は、前述した引き出し部材１２，シート部材１３、連結部材１４と同様であるので、説明を省略する。本実施例のコンピュータ収納パネル３０は、屋根状部３１および引き出し部材３３がパネル本体３２と一体的に構成されている。
【００２８】
以上のように構成されたコンピュータ収納パネル３０においても、コンピュータ収納パネル内部を修理点検する際、引き出し部材１２を引き出す。次に、引き出し部材３３の３辺からシート部材３４を垂下させ、垂れ下がったシート部材３４を、縦方向に連結部材３５であるファスナーで連結して、隙間なくコンピュータ収納パネルに周囲を囲蔽することができる。したがって、パネルの扉を開成した場合に雨水が浸入することがない。また、周囲の目隠しとなるので、内部コンピュータのセキュリテイ保持にも役立つ。
【００２９】
また、コンピュータ収納パネルの観音開きの扉をシート部材３４の内側から重ねれば、シート部材３４を更に補強することができる。更に、引き出し部材３３を収納する場合も前述した様にシート部材３４の所定位置に配設された面ファスナーを利用して折り畳んだ後、フック部材２３により引き出し部材３３の下端面に収納することができる。
【００３０】
以上説明したように、本発明はコンピュータ収納パネルであっても、コンピュータ収納パネルの上に別置きする点検用テントユニットであってよい。
【図面の簡単な説明】
【００３１】
【図１】図１は、本発明に係る点検用テントユニットの一例を示す斜視図である。
【図２】図２は、同点検用テントユニットの側面図である。
【図３】図３は、同点検用テントユニットの正面図である。
【図４】図４は、同点検用テントユニットのテントを折りたたむ手順を示す説明図である。
【図５】図５は、同テントを折りたたむ手順を示す説明図である。
【図６】図６は、同点検用テントユニットの使用状態を示す要部平面図である。
【図７】図７は、本発明に係るコンピュータ収納パネルを示す斜視図である。
【図８】図８は、従来のコンピュータ収納パネルを示す斜視図である。
【符号の説明】
【００３２】
１０      点検用テントユニット
１１      屋根状本体
１２      引き出し部材
１２ａ    操作部  
１３      シート部材
１４      連結部材
１５      通気口
１６、１７  スライドレール
１８、１９  スライドレール
２０      採光部
２１      錘バー
２２      面ファスナー
２３      フック部材
２４      リブ
２５      扉
３０      コンピュータ収納パネル
３１      屋根状部
３２      パネル本体
３３      引き出し部材
３４      シート部材
３５      連結部材
【図１】
2005290862.tif 000003
【図２】
2005290862.tif 000004
【図３】
2005290862.tif 000005
【図４】
2005290862.tif 000006
【図５】
2005290862.tif 000007
【図６】
2005290862.tif 000008
【図７】
2005290862.tif 000009
【図８】
2005290862.tif 000010